(57)【特許請求の範囲】
【請求項１】
水電解部に原料水を通しながら前記水電解部の電極に電圧を印加して前記原料水の電気分解を行う水処理装置であって、
前記水電解部を内蔵しかつ外形が柱状とされる電解モジュールと、この電解モジュールが取り外し可能に取り付けられるモジュール収納部を有する装置本体とを備え、
前記電解モジュールには、外周面に給水口および吐水口が同じ方向に向けて開口するように設けられているとともに、前記電極に電気的に接続されている接続端子が外周面に臨むように設けられており、
前記装置本体には、前記給水口が連結される給水管路と、前記吐水口が連結される吐水管路と、前記接続端子が電気的に接続される給電部とが前記モジュール収納部に臨むように設けられており、
前記連結および前記接続が前記モジュール収納部に前記電解モジュールを一方向から押し込むことに伴い行われ、
前記電解モジュールの長さ方向の一端面には前記接続端子が設けられ、また、前記電解モジュールの長さ方向の他端面には被ガイド部が設けられ、
前記給水口と前記吐水口とは前記電解モジュールの外周面において前記一端面と前記他端面との間に前記長さ方向に離されて設けられ、
前記モジュール収納部には、前記電解モジュールの前記被ガイド部と協働して前記電解モジュールの押し込み動作を誘導するためのガイド部を備える、ことを特徴とする水処理装置。
【請求項２】
請求項１に記載の水処理装置において、
前記接続端子は、板状とされ、
前記給電部は、前記一方向と同じ方向に延びて前記接続端子が一直線に入れられる溝と、この溝内に設けられかつ前記接続端子を挟むことによって圧接して電気的に接続される給電端子とを有する、ことを特徴とする水処理装置。
【請求項３】
請求項２に記載の水処理装置において、
前記給水管路および前記吐水管路に対する前記給水口および前記吐水口の連結は、それぞれシール材を介する圧入により行われ、
前記電解モジュールの押し込み過程において前記圧入が完了する前に前記給電端子に対して前記接続端子が圧接する状態になる、ことを特徴とする水処理装置。
【請求項４】
請求項１から３のいずれか１項に記載の水処理装置において、
前記装置本体は、前記モジュール収納部からの前記電解モジュールの取り外し方向の動きを規制して保持する保持手段を備える、ことを特徴とする水処理装置。
【請求項５】
請求項４に記載の水処理装置において、
前記装置本体は、前記モジュール収納部の開放側を閉塞する蓋体を備え、
前記蓋体が閉塞状態で前記電解モジュールに当接して前記保持手段として機能する、ことを特徴とする水処理装置。
【発明の詳細な説明】
【技術分野】
【０００１】
本発明は、水電解部に原料水を通しながら前記水電解部の電極に電圧を印加して原料水の電気分解を行う水処理装置に関する。
【背景技術】
【０００２】
この種の水処理装置としては、例えば特許文献１に示されているようなオゾン水生成器がある。このオゾン水生成器は、電極及びイオン交換膜を含む電解槽に水道水等の原料水を通しながら一対の電極間に直流電圧を印加して、必要量のオゾン水を生成する直接電解法（電気分解法）である。
【０００３】
ところで、前記電解法では、長期間の使用により原料水に含まれるカルシウムイオンやマグネシウムイオン等の無機質が析出し、前記電極付近に堆積する。また、長期間の使用により前記電極が摩耗したり前記イオン交換膜が劣化したりすることがある。このようなことから、前記電極の洗浄によるリフレッシュまたは前記電極の交換を定期的に行う必要がある。
【先行技術文献】
【特許文献】
【０００４】
【特許文献１】特許第４８３８７０５号公報
【発明の概要】
【発明が解決しようとする課題】
【０００５】
上記特許文献１に係る従来例では、装置本体内に洗浄水を貯留する洗浄タンクを配し、この洗浄タンク内の洗浄水を電解槽の電極付近に循環させることにより、前記電極におけるカルシウムイオン等の無機質の堆積を抑制する構成を備え、ユーザーが定期的に洗浄水を補給することによって長期間の使用を図っている。
【０００６】
しかしながら、前記電極のリフレッシュのみでは、長期間にわたって高い電解効率を維持することができず、定期的に前記電極の交換が不可欠である。
【０００７】
この電極の交換はエンジニアによるメインテナンスが必要になるが、電解槽が下記するように装置本体に対する着脱や分解を容易に行い得る構成になっていないために、前記メインテナンスに時間を要し、その間、ユーザーにおいて装置の使用を控えねばならず、不便をきたすことになっている。
【０００８】
なお、前記電解槽は、原料水の流入口とオゾン水の流出口とを異なる側面に振り分けて設けているとともに、前記電解槽のカソード電極棒とアノード電極棒とを上面と下面とに振り分けて設けている関係より、この電解槽は装置本体に対して着脱や分解が容易に行えない構成であると言える。
【０００９】
このような事情に鑑み、本発明は、水電解部に原料水を通しながら前記水電解部の電極に電圧を印加して原料水の電気分解を行う水処理装置において、前記水電解部を内蔵する電解モジュールを装置本体に対して比較的容易かつ迅速に取り付け、取り外しできるようにすることを目的としている。
【課題を解決するための手段】
【００１０】
本発明は、水電解部に原料水を通しながら前記水電解部の電極に電圧を印加して前記原料水の電気分解を行う水処理装置であって、前記水電解部を内蔵しかつ外形が柱状とされる電解モジュールと、この電解モジュールが取り外し可能に取り付けられるモジュール収納部を有する装置本体とを備え、前記電解モジュールには、外周面に給水口および吐水口が同じ方向に向けて開口するように設けられているとともに、前記電極に電気的に接続されている接続端子が外周面に臨むように設けられており、前記装置本体には、前記給水口が連結される給水管路と、前記吐水口が連結される吐水管路と、前記接続端子が電気的に接続される給電部とが前記モジュール収納部に臨むように設けられており、前記連結および前記接続が前記モジュール収納部に前記電解モジュールを一方向から押し込むことに伴い行われ、前記電解モジュールの長さ方向の一端面には前記接続端子が設けられ、また、前記電解モジュールの長さ方向の他端面には被ガイド部が設けられ、前記給水口と前記吐水口とは前記電解モジュールの外周面において前記一端面と前記他端面との間に前記長さ方向に離されて設けられ、前記モジュール収納部には、前記電解モジュールの前記被ガイド部と協働して前記電解モジュールの押し込み動作を誘導するためのガイド部を備える、ことを特徴としている。
【００１１】
この構成では、前記装置本体のモジュール収納部に前記電解モジュールを一方向から押し込むだけでもって、前記電解モジュールの接続端子が前記装置本体の給電部に電気的に接続されるとともに、前記電解モジュールの給水口および吐水口が前記装置本体の給水管路および吐水管路にそれぞれ連結されるようになる。その一方で、前記装置本体に取り付けた電解モジュールは、前記取り付け作業と反対方向に一直線に引き出すだけで取り外すことができるようになる。
【００１２】
これにより、前記電解モジュールの取り付けならびに取り外しが比較的容易かつ迅速に行えるようになるから、本発明に係る水処理装置の使用中断時間を最小限に止めることが可能になるなど、水処理装置のユーザーにとって利便性が向上する。
【００１３】
しかも、上記構成では、前記電解モジュールの外形を柱状とし、前記電解モジュールの長さ方向の一端面には前記接続端子が設けられ、また、前記電解モジュールの長さ方向の他端面には被ガイド部が設けられ、前記給水口と前記吐水口とは前記電解モジュールの外周面において前記一端面と前記他端面との間に前記長さ方向に離されて設けられ、前記モジュール収納部には、前記電解モジュールの前記被ガイド部と協働して前記電解モジュールの押し込み動作を誘導するためのガイド部を備えているから、前記装置本体のモジュール収納部に前記電解モジュールを一方向から取り付ける過程での押し込み動作を安定して誘導できるようになる。そのため、前記ガイド部および被ガイド部を設けていない場合に比べて前記電解モジュールの取り付け作業が容易かつ迅速に行えることが明らかになる。
【００１５】
なお、前記電解モジュールの取り外し作業は、前記取り付け作業での押し込み動作と反対方向の引き出し動作となっている関係より、当然ながら前記ガイド部および被ガイド部により前記引き出し動作を安定して誘導できるようになるので、この取り外し作業も前記取り付け作業と同様に容易かつ迅速に行えるようになる。
【００１６】
また、前記接続端子は、板状とされ、前記給電部は、前記一方向と同じ方向に延びて前記接続端子が一直線に入れられる溝と、この溝内に設けられかつ前記接続端子を挟むことによって圧接して電気的に接続される給電端子とを有する、構成とすることができる。
【００１７】
この構成では、前記接続端子と前記給電部とを比較的簡易に製造できる形状であることが明らかになる。
【００１８】
また、前記給水管路および前記吐水管路に対する前記給水口および前記吐水口の連結は、それぞれシール材を介する圧入により行われ、前記電解モジュールの押し込み過程において前記圧入が完了する前に前記給電端子に対して前記接続端子が圧接する状態になる、構成とすることができる。
【００１９】
この構成では、前記給水管路および前記吐水管路に対する前記給水口および前記吐水口の連結、ならびに前記給電端子に対する前記接続端子の電気的な接続が、共に適宜の摩擦抵抗が存在することが明らかになる。
【００２０】
しかも、前記給水管路および前記吐水管路に対する前記給水口および前記吐水口の圧入が完了する前に前記給電端子に前記接続端子が圧接する状態になるように構成しているから、前記電解モジュールの姿勢が押し込み過程において崩れにくくなるなど、取り付け作業が比較的簡単かつ確実に行えるようになる。
【００２１】
また、前記装置本体は、前記モジュール収納部からの前記電解モジュールの取り外し方向の動きを規制して保持する保持手段を備える、構成とすることができる。
【００２２】
この構成では、前記電解モジュールの取り付け後において当該電解モジュールに原料水を供給するときに、その供給圧力で前記電解モジュールが装置本体から簡単に外れることが阻止されるようになる。
【００２３】
また、前記装置本体は、前記モジュール収納部の開放側を閉塞する蓋体を備え、前記蓋体が閉塞状態で前記電解モジュールに当接して前記保持手段として機能する、構成とすることができる。
【００２４】
この構成では、前記保持手段となる蓋体が比較的簡単に設置できるようになると言えるから、設備コストの上昇を抑制することが可能になる。
【発明の効果】
【００２５】
本発明に係る水処理装置は、水電解部を内蔵する電解モジュールを装置本体に対して比較的容易かつ迅速に取り付け、取り外しできるようになる。
【図面の簡単な説明】
【００２６】
【図１】図２においてメンテカバーおよびモジュールサポートを開いた状態を示す斜視図である。
【図２】本発明に係る水処理装置の一実施形態で、全体外観を示す斜視図である。
【図３】図１のメンテカバーおよびモジュールサポートを外した状態を示す斜視図である。
【図４】図３においてさらに水路カバーを外した状態を示す斜視図である。
【図５】図３において電解モジュールを取り外した状態を示す斜視図である。
【図６】図５において電解モジュールの単体を斜め下から見上げた状態を示す斜視図である。
【図７】図５において装置本体のモジュール収納部を開放側から見た状態を示す側面図である。
【図８】図７の（８）−（８）線断面を矢印方向から見た図である。
【図９】図５において装置本体のモジュール収納部に電解モジュールを取り付けるときの初期段階を示す正面図である。
【図１０】図９の続きで、電解モジュールの取り付け途中を示す正面図である。
【図１１】図１０の続きで、電解モジュールを取り付け完了した状態を示す正面図である。
【発明を実施するための形態】
【００２７】
以下、本発明を実施するための最良の実施形態について添付図面を参照して詳細に説明する。
【００２８】
図１から図１１に、本発明の一実施形態を示している。図中、１は水処理装置の全体を示している。
【００２９】
水処理装置１は、この実施形態においてオゾン水を生成する構成になっており、装置本体２、電解モジュール３などを備えている。
【００３０】
装置本体２には、モジュール収納部２１、給水管路２２、吐水管路２３、給電部２４などが設けられており、水路カバー２５、後カバー２６、メンテカバー２７が設けられている。
【００３１】
水路カバー２５および後カバー２６は、取り外し可能に取り付けられているが、メンテカバー２７は、不図示のヒンジを介して開閉可能になっている。装置本体２のメンテカバー２７の内側には、モジュールサポート２８が設けられている。このモジュールサポート２８は、ヒンジ（符号省略）を介して後カバー２６に開閉可能に取り付けられている。このモジュールサポート２８は、閉塞された状態でモジュール収納部２１に取り付けられる電解モジュール３に当接して電解モジュール３の取り外し方向の動きを規制して保持するものであって、特許請求の範囲に記載の保持手段として機能する。
【００３２】
モジュール収納部２１は、電解モジュール３が取り外し可能に取り付けられる空間であって、隔壁２９ａ、天井壁２９ｂ、底壁２９ｃ、後カバー２６ならびにメンテカバー２７でもって囲まれた空間とされている。隔壁２９ａは、モジュール収納部２１と給水管路２２および吐水管路２３の配置空間とを区画するために設けられている。
【００３３】
給水管路２２には電解モジュール３の給水口３１が連結され、また、吐水管路２３には電解モジュール３の吐水口３２が連結される。給電部２４は、電解モジュール３の接続端子３３が接続される。
【００３４】
電解モジュール３は、外形が円柱状で長さ寸法が直径寸法よりも大きく設定されており、その内部には水電解部（図示省略）が内蔵されている。この水電解部は、電解モジュール３の内部から取り外せるようになっている。
【００３５】
この電解モジュール３の外周面においてその長さ方向上下には、給水口３１および吐水口３２が離間して設けられている。また、電解モジュール３の上端面には、前記不図示の水電解部の電極に電気的に接続されている２つの接続端子３３が設けられている。
【００３６】
このような水処理装置１の場合、前記水電解部に原料水を通しながら、当該水電解部の電極に電圧を印加して前記原料水の電気分解を行うことによりオゾン水を生成するようになっているが、長期間の使用により原料水に含まれるカルシウムイオンやマグネシウムイオン等の無機質が析出し、前記電極付近に堆積する。また、長期間の使用により前記電極が摩耗したり前記水電解部のイオン交換膜が劣化したりすることがある。このようなことから、電解モジュール３の前記水電解部のリフレッシュまたは交換を定期的に行うことが好ましい。
【００３７】
そこで、この実施形態の電解モジュール３は、装置本体２のモジュール収納部２１に一方向から比較的容易に取り付けたり取り外したりできるように構成されているので、以下で説明する。
【００３８】
詳しくは、装置本体２に備える給水管路２２、吐水管路２３ならびに給電部２４は、モジュール収納部２１に臨むよう設けられている。
【００３９】
給水管路２２および吐水管路２３は、横向き姿勢となるように配置されており、給水管路２２の連結口２２ａおよび吐水管路２３の連結口２３ａが隔壁２９ａを貫通してモジュール収納部２１内に突出されることによってモジュール収納部２１に臨むように開放されている。
【００４０】
また、給水管路２２の給水ジョイント２２ｂは、装置本体２においてモジュール収納部２１の反対側の側面から外側へ突出するように設けられている。吐水管路２３の吐水ジョイント２３ｂは装置本体２の天井壁２９ｂから外側へ突出するように設けられている。
【００４１】
さらに、給電部２４は、天井壁２９ｂに設けられていて、２つの溝２４ａが天井壁２９ｂの下面に開放するとともに天井壁２９ｂの側面へ向けて開放するように設けられている。この２つの溝２４ａは、一直線に延びるように設けられており、電解モジュール３の下記接続端子３３が隙間を持つ状態で一方向から一直線に入れられる。
【００４２】
前記２つの溝２４ａには、２つ１組の給電端子２４ｂ，２４ｃが配置されている。一方の給電端子２４ｂは、帯板形状に形成されていて固定とされるので、以下においては固定側給電端子と言うこともある。また、他方の給電端子２４ｃは、湾曲形状に形成されていて可撓または可動とされるので、以下においては可動側給電端子と言うこともある。
【００４３】
前記２つの溝２４ａ内にそれぞれ接続端子３３を挿入すると、可動側給電端子２４ｃが接続端子３３によって弾性変形させられることに伴い、その反力（弾性復元力）により可動側給電端子２４ｃと固定側給電端子２４ｂとが接続端子３３を強く挟むことによって圧接するようになるので、両方の給電端子２４ｂ，２４ｃと接続端子３３とが電気的に接続されるようになる。このことから、可動側給電端子２４ｃと固定側給電端子２４ｂとの対向隙間のうち、最小の隙間は、接続端子３３の厚みよりも小さく設定されている。
【００４４】
そして、電解モジュール３に備える給水口３１および吐水口３２は、共に同じ方向に向けて開口するように設けられている。
【００４５】
また、電解モジュール３に備える２つの接続端子３３は、共に帯板状片とされており、電解モジュール３の上端面に平行に離間した状態で上向きに突出するように設けられている。このように設置される接続端子３３の場合、電解モジュール３の外周面に臨むようになっていると言える。
【００４６】
さらに、電解モジュール３の下端面と装置本体２の底壁２９ｃとには、電解モジュール３の押し込み動作を誘導するためのガイド部２９ｄと被ガイド部３４とが振り分けて設けられている。
【００４７】
具体的に、ガイド部２９ｄは、装置本体２の底壁２９ｃ上面に設けられており、２本の平行な突条レールとされている。また、被ガイド部３４は、図６に示すように、電解モジュール３の下端面に設けられており、ガイド部２９ｄとしての２本の突条レールに個別に嵌め合わされる２つの溝状レールとされている。
【００４８】
ガイド部２９ｄとしての２本の突条レールの長さ方向は、給電部２４の２つの溝２４ａの長さ方向と平行になっている。また、被ガイド部３４としての２つの溝状レールの長さ方向は、接続端子３３としての２つの帯板状片の幅方向と平行になっている。
【００４９】
装置本体２の給水管路２２の連結口２２ａおよび吐水管路２３の連結口２３ａに対する電解モジュール３の給水口３１および吐水口３２の連結は、それぞれシール材（Ｏリングなど）４を介して密封されるとともに外れにくくなっている。
【００５０】
詳しくは、給水管路２２の連結口２２ａは給水口３１の外径側に嵌合されるようになっている一方、吐水管路２３の連結口２３ａは吐水口３２の内径側に嵌合されるようになっている。
【００５１】
つまり、給水管路２２の連結口２２ａおよび吐水口３２の内径は、吐水管路２３の連結口２３ａおよび給水口３１の外径よりも大きくなっている。このことから、給水管路２２の連結口２２ａおよび吐水口３２をメス形状、また、吐水管路２３の連結口２３ａおよび給水口３１をオス形状と言うことにする。これにより、電解モジュール３を上下逆さまにモジュール収納部２１に取り付けることが回避される。
【００５２】
なお、吐水管路２３の連結口２３ａの外径側および給水口３１の外径側の各付け根側には、それぞれシール材４が取り付けられており、給水管路２２の連結口２２ａに給水口３１を嵌合して吐水管路２３の連結口２３ａに吐水口３２を嵌合すると、この嵌合面がシール材４によってタイトフィットするようになるので、前記嵌合が簡単に外れないようになるとともに前記嵌合面が密封されるようになる。
【００５３】
次に、図９から図１１を参照して、電解モジュール３を装置本体２のモジュール収納部２１に取り付けまたは取り外すときの様子を説明する。
【００５４】
電解モジュール３を取り付ける場合には、図１に示すように、装置本体２のメンテカバー２７およびモジュールサポート２８を開くことによりモジュール収納部２１を外側に開放しておいて、このモジュール収納部２１の開放部分から電解モジュール３を一方向に一直線に押し込む。
【００５５】
この押し込みの前段階としては、図９に示すように、電解モジュール３のガイド部２９ｄである溝状レールを装置本体２の被ガイド部３４である突条レールに嵌め合わせておいて、電解モジュール３の２つの接続端子３３である帯板状片を装置本体２の給電部２４の２つの溝２４ａの入口にあてがうように位置合わせする。その状態では、給水管路２２の連結口２２ａに給水口３１が、また、吐水管路２３の連結口２３ａに吐水口３２がそれぞれ接近しているだけで、まだ嵌合されていない状態になっている。
【００５６】
そして、前記押し込み操作が行われると、まず、装置本体２側の被ガイド部３４である突条レールと電解モジュール３側のガイド部である溝状レールとの嵌め合いでもって電解モジュール３の押し込み動作が安定して誘導されるようになって、電解モジュール３の２つの接続端子３３である帯板状片が装置本体２の給電部２４の２つの溝２４ａ内に入れられるようになる。
【００５７】
この段階では、図１０に示すように、２つの接続端子３３が給電部２４の２つの溝２４ａ内において２つ１組の給電端子２４ｂ，２４ｃのうちの湾曲している方の給電端子２４ｃを弾性変形させることになって、その反力（弾性復元力）でもって前記２つ１組の給電端子２４ｂ，２４ｃ間に前記接続端子３３が強く挟まれて圧接する状態、つまり完全押し込み状態になる。その一方で、給水管路２２の連結口２２ａの内径側に給水口３１が、また、吐水管路２３の連結口２３ａの外径側に吐水口３２が浅く嵌合するものの、給水管路２２の連結口２２ａに給水口３１のシール材４が、また、吐水管路２３の連結口２３ａのシール材４に吐水口３２がそれぞれ届いていない。
【００５８】
引き続いて、電解モジュール３をさらに奥に押し込むと、図１１に示すように、接続端子３３が２つ１組の給電端子２４ｂ，２４ｃ間のさらに奥に深く入り込んだ状態になるとともに、給水管路２２の連結口２２ａに給水口３１が、また、吐水管路２３の連結口２３ａに吐水口３２がそれぞれシール材４を乗り越えて完全に嵌合される状態になる。
【００５９】
なお、前記のように接続端子３３が２つ１組の給電端子２４ｂ，２４ｃ間のさらに奥に深く入り込んだ状態でも、接続端子３３が２つ１組の給電端子２４ｂ，２４ｃ間に圧接された状態が保たれるようになっている。
【００６０】
この状態では、シール材４が弾性的に圧縮変形されることになって前記嵌合面を密封するとともに、シール材４の摩擦抵抗が電解モジュール３を引き出すときに抵抗となるので、電解モジュール３に原料水が供給されるときの圧力が作用しても当該電解モジュール３がモジュール収納部２１から簡単に外れにくくなる。
【００６１】
このように、上記電解モジュール３の取り付けは、電解モジュール３側のガイド部および装置本体２側の被ガイド部３４と、電解モジュール３の接続端子３３および装置本体２の給電部２４の溝２４ａとによって、電解モジュール３の押し込み動作がその長さ方向両端つまり上下で安定して誘導されるようになっているから、電解モジュール３を容易かつ迅速に取り付けることができるようになる。
【００６２】
しかも、給水管路２２の連結口２２ａおよび吐水管路２３の連結口２３ａに給水口３１および吐水口３２が完全に嵌合する前に給電端子２４ｂ，２４ｃに接続端子３３が圧接する状態になるように構成しているから、電解モジュール３の姿勢が押し込み過程において崩れにくくなるなど、電解モジュール３の取り付け作業が比較的簡単かつ確実に行えるようになると言える。
【００６３】
そして、電解モジュール３を装置本体２から取り外す場合には、前記した取り付ける場合と反対の動作、つまり電解モジュール３をモジュール収納部２１から一直線に引っ張ることにより取り外せばよい。
【００６４】
このときも、電解モジュール３側のガイド部および装置本体２側の被ガイド部３４と、電解モジュール３の接続端子３３および装置本体２の給電部２４の溝２４ａとによって、電解モジュール３が長さ方向両端つまり上下で安定して誘導されるようになっているから、電解モジュール３を容易かつ迅速に取り外すことができるようになる。
【００６５】
このように電解モジュール３を取り外せば、その内部の不図示の水電解部を新しいものと交換することが可能になり、また、その交換作業が簡単に行えるようになる。
【００６６】
以上説明したように本発明を適用した実施形態によれば、装置本体２のモジュール収納部２１に電解モジュール３を一方向から押し込むだけでもって、電解モジュール３の接続端子３３が装置本体２の給電部２４に電気的に接続されるとともに、電解モジュール３の給水口３１および吐水口３２が装置本体２の給水管路２２および吐水管路２３にそれぞれ連結されるようになる。その一方で、装置本体２に取り付けた電解モジュール３は、前記取り付け作業での押し込み方向と反対方向に一直線に引き出すだけで取り外すことができるようになる。
【００６７】
これにより、前記電解モジュールの取り付けならびに取り外しが比較的容易かつ迅速に行えるようになるから、水処理装置１の使用中断時間を最小限に止めることが可能になるなど、水処理装置１のユーザーにとって利便性が向上する。
【００６８】
なお、本発明は、上記実施形態のみに限定されるものではなく、特許請求の範囲内および当該範囲と均等の範囲内で適宜に変更することが可能である。
【００６９】
（１）上記実施形態では、給水管路２２の連結口２２ａおよび吐水口３２をメス形状に、また、吐水管路２３の連結口２３ａおよび給水口３１をオス形状にした例を挙げているが、本発明はこれのみに限定されるものではなく、その反対の関係、つまり給水管路２２の連結口２２ａおよび吐水口３２をオス形状に、また、吐水管路２３の連結口２３ａおよび給水口３１をメス形状にすることが可能である。
【００７０】
（２）上記実施形態では、ガイド部２９ｄを突条レールにし、また、被ガイド部３４を溝状レールにした例を挙げているが、本発明はこれのみに限定されるものではなく、その反対の関係、つまりガイド部２９ｄを溝状レールにして被ガイド部３４を突条レールにすることが可能である。
【００７１】
（３）上記実施形態では、水処理装置１をオゾン水を生成するものとして説明しているが、本発明はこれのみに限定されるものではなく、例えばアルカリイオン水、電解水素水などを生成する水処理装置としても構成できる。
【００７２】
（４）上記実施形態では、電解モジュール３の外形を円柱状としているが、例えば角柱状とすることも可能であり、また、上記実施形態では、電解モジュール３の長さ寸法を直径寸法よりも大きくしているが、例えば前記長さ寸法を前記直径寸法よりも小さくすることも可能である。
【産業上の利用可能性】
【００７３】
本発明は、水電解部に原料水を通しながら水電解部の電極に電圧を印加して原料水の電気分解を行う水処理装置に好適に利用することが可能である。
【符号の説明】
【００７４】
１  水処理装置
２  装置本体
２１    モジュール収納部
２２    給水管路
２２ａ  連結口
２２ｂ  給水ジョイント
２３    吐水管路
２３ａ  連結口
２３ｂ  吐水ジョイント
２４    給電部
２４ａ  溝
２４ｂ  帯板形状の給電端子
２４ｃ  湾曲形状の給電端子
２５    水路カバー
２６    後カバー
２７    メンテカバー
２８    モジュールサポート
２９ａ  隔壁
２９ｂ  天井壁
２９ｃ  底壁
２９ｄ  ガイド部
３  電解モジュール
３１    給水口
３２    吐水口
３３    接続端子
３４    被ガイド部
４  シール材
【図１】
0006257566.tif 000002
【図２】
0006257566.tif 000003
【図３】
0006257566.tif 000004
【図４】
0006257566.tif 000005
【図５】
0006257566.tif 000006
【図６】
0006257566.tif 000007
【図７】
0006257566.tif 000008
【図８】
0006257566.tif 000009
【図９】
0006257566.tif 000010
【図１０】
0006257566.tif 000011
【図１１】
0006257566.tif 000012